(57)【要約】【課題】  デジタル部が数字２桁分の表示面積しかないにもかかわらず、必要な情報を表示可能な利用者にとって使いやすいデジタル表示付き電波修正時計を提供する。【解決手段】  標準電波の受信中、指針の駆動を停止している間は、デジタル部の表示を所定時間毎に更新することにより、時刻を含めた各種情報を切り換えて表示することができる。それにより、電波受信中に必要な受信レベルの状態を知ることが出来ると同時に、ノイズ低減のために動作停止している指針に変わり計時分をデジタル部で切り替え表示することで、受信中もユーザーに現在時刻を提示できる。【選択図】      図３
2008145388.tif 000002
【特許請求の範囲】
【請求項１】
標準電波を受信して現在時刻情報を出力する受信部７と、内部時刻の計時を行なうとともに前記現在時刻情報に基づき前記内部時刻を修正する計時部６と、前記内部時刻を含む各種情報を表示するデジタル部４と、からなるデジタル表示付き電波修正時計において、前記受信部７を動作状態にして前記標準電波の受信中は、標準電波受信に関する情報を含む複数の異なった情報を前記デジタル部４に順次表示することを特徴とするデジタル表示付き電波修正時計。
【請求項２】
前記デジタル部４の表示は、前記複数の異なった情報のうちの一つを所定時間表示し、前記所定時間経過後は他の情報に切り換えて順次所定時間ずつ表示することを特徴とする請求項１記載のデジタル表示付き電波修正時計。
【請求項３】
前記デジタル部４に表示する前記複数の異なった情報は、前記標準電波の受信を行なっていることを表わす略号か、前記標準電波の受信レベルに対応した記号を含むことを特徴とする請求項１記載のデジタル表示付き電波修正時計。
【請求項４】
前記デジタル部４の表示領域は、時、分などの時刻表示単位で表示可能な領域であることを特徴とする請求項１ないし３のいずれか１つに記載のデジタル表示付き電波修正時計。
【請求項５】
指針の駆動により前記内部時刻を表示する指針表示部３を更に有することを特徴とする請求項１ないし４のいずれか１つに記載のデジタル表示付き電波修正時計。
【請求項６】
受信中は前記指針表示部３の駆動を停止することを特徴とする請求項１ないし５のいずれか１つに記載のデジタル表示付き電波修正時計。
【請求項７】
前記デジタル部４に表示する前記複数の異なった情報は、前記標準電波の受信を行なっていることを表わす略号、前記標準電波の受信レベルに対応した記号、前記内部時刻のうちの分情報、のいずれかの組み合わせであることを特徴とする請求項１ないし６のいずれか１つに記載のデジタル表示付き電波修正時計。
【請求項８】
前記デジタル部４の表示は、前記情報を全て順次表示した後は、最初に表示した情報から繰り返して表示することを特徴とする請求項１ないし７のいずれか１つに記載のデジタル表示付き電波修正時計。
【請求項９】
前記デジタル部４の表示は、それぞれ前記内部時刻の秒の計時範囲に対応付けられており、前記内部時刻の経過とともに前記秒の計時値に対応した情報を表示することを特徴とする請求項１ないし７のいずれか１つに記載のデジタル表示付き電波修正時計。
【請求項１０】
前記デジタル部４の表示は、前記内部時刻の秒の計時値に対応した情報を表示する際、前記秒として、前記情報の件数ｎに対して、正分を基準として１分間に６０／ｎ秒毎にｎ回切り換えて順次表示することを特徴とする請求項９記載のデジタル表示付き電波修正時計。
【請求項１１】
前記デジタル部４の表示領域は、文字盤上の時字のいずれか一つの位置であることを特徴とする請求項４ないし１０のいずれか１つに記載のデジタル表示付き電波修正時計。
【請求項１２】
前記デジタル部４の表示領域は、文字盤上の時字を表わす文字を囲うことが可能な長方形の面積と同じか、または小さいことを特徴とする請求項１１に記載のデジタル表示付き電波修正時計。
【発明の詳細な説明】
【技術分野】
【０００１】
本発明は、内部時刻の計時を行ない、LCDなどのデジタル部で、日付けや時刻等の情報を表示するデジタル表示時計で、標準電波を受信して現在時刻情報を取得し、取得した現在時刻情報に基づいて内部時刻を修正することで、正確な時刻表示が行なえるデジタル表示付き電波修正時計に関するもので、特に、内部時刻の表示手段としての指針を併設するコンビネーション電波時計に対して有効な技術である。
【背景技術】
【０００２】
従来、指針式の電波修正時計は、標準電波を受信する際、指針の駆動信号がノイズ源となって受信の妨げとならないよう運針を停止しており、その間、利用者は時刻を知ることができなかった（特許文献１）。一方、デジタル表示式の電波修正時計では、受信中であっても日時や時刻の表示はデジタル部で行なうようにすることができ、同時に受信レベルの表示なども可能であるため、指針式時計であったような上記問題は発生せず、機能的にも優れたものであった（特許文献２）。
【０００３】
【特許文献１】特開２００１−１３２７４号公報（段落００１８、段落００７３）
【特許文献２】ＵＳ  ５，１０５，３９６（ＦＩＧ．２、第２〜３段落）
【発明の開示】
【発明が解決しようとする課題】
【０００４】
デジタル表示付き電波修正時計は、特には、指針を有するものにあっては、指針表示のデザイン性と、デジタルによる情報表示機能を併せ持っていることが特徴であり、コンビネーションクオーツ（ＣＱ）時計とも呼ばれている。通常使用時には、指針によるアナログ表示で内部時刻を表わし、デジタル部では各種情報を表示しているものである。標準電波の受信中には、指針の駆動は停止するが、デジタル部により内部時刻の表示が可能であるため、上述のような問題は起こらず、受信中でも時刻を知ることができる。
【０００５】
前記デジタル表示付き電波修正時計は、デザインが特徴の一つであり、指針とデジタル部とが違和感無く配置されるように設計されることが多く、例えば、デジタル部の表示領域をできるだけ小さくして目立たなくすることで、指針式時計に近づけるなどの手法がとられている。一方で、デジタル部にはなるべく多くの情報を表示して、利便性を図ることも行なわれており、この場合には、デジタル部の表示領域を大きくして、デザインよりも機能を優先するような設計手法がとられている。
【０００６】
本発明の目的は、機能に富み、多くの情報を表示することで利便性を図りつつも、デザインを損なうことのない、機能性とデザイン性の両方を兼ね備えたデジタル表示付き電波修正時計を提供することにある。
【課題を解決するための手段】
【０００７】
上記目的を達成するための本発明の要旨は、標準電波の受信中は、デジタル部において、標準電波受信に関する情報を含む複数の異なった情報を表示するものであり、前記情報のうちの一つを所定時間表示し、所定時間経過後は他の情報に切り換えて順次所定時間ずつ表示を行なうことを特徴としている。また、前記複数の異なった情報として、受信を行なっていることを表わす略号か、標準電波の受信レベルに対応した記号を含む、ことを特徴としている。
これにより、デジタル部の表示領域の大きさに関係なく、標準電波の受信中であっても、電波受信に関する情報等、必要とされる複数の情報を表示することが可能となる。
【０００８】
また、前記デジタル部の表示領域は、時、分などの時刻表示単位で表示可能な領域であることを特徴としている。また、指針の駆動により内部時刻を表示する指針表示部を更に有しており、受信中は前記指針表示部の駆動を停止することを特徴としている。その際、前記デジタル部は、標準電波の受信を行なっていることを表わす略号、標準電波の受信レベルに対応した記号、内部時刻のうちの分情報、の複数の異なった情報のいずれかを組み合わせて表示するものである。
これにより、標準電波の受信中であって指針の駆動が停止している状態であっても、デジタル部において、電波受信に関する情報、内部時刻の分情報、の複数の情報を表示することが可能となる。
【０００９】
また、前記デジタル部の表示は、前記複数の情報を全て表示した後は、最初に表示した情報から繰り返し表示することを特徴としている。例えば、所定時間として２０秒間とすれば、ある情報を２０秒間表示した後は他の情報に切り換えて表示し、さらに２０秒経過したら次の情報に切り換えて表示し、次の２０秒目で最初に表示した情報を再度表示することで、１分周期で繰り返すものである。
これにより、デジタル部の表示領域の大きさに関係なく、必要とされる複数の情報を表示することが可能となり、利用者がストレス無くこれら情報を確認することができる。
【００１０】
また、前記デジタル部の表示は、それぞれ内部時刻の秒の計時範囲に対応付けられており、前記内部時刻の経過とともに前記秒の計時値に対応した情報を表示し、その際、前記秒として、前記情報の件数ｎに対して、正分を基準として１分間に６０／ｎ秒毎にｎ回切り換えて順次表示することを特徴としている。例えば、表示する情報として、受信を行なっていることを表わす略号、電波の受信レベル、内部時刻の分情報、の３件である場合には、６０／３秒毎つまり２０秒毎に切り換えを行なうもので、正分つまり０秒基準として、内部時刻が、２０秒、４０秒、６０秒（０秒）の１分間に３回の秒計時値において、表示を切り換えるものである。
これにより、表示の切り換えタイミングとして、内部時刻の計時値を利用することができるため、内部処理が簡略化できコストダウンにつなげられる。
【００１１】
また、前記デジタル部の表示領域として、文字盤上の時字のいずれか一つの位置に、時字を表わす文字を囲うことが可能な長方形の面積と同じか、または小さい領域をもって、配置したことを特徴としている。例えば、文字盤の６時位置に配置する場合には、６の数字で表わされている時字に代わって、６の数字を囲う長方形と同じかもしくは小さいサイズの表示領域をもって、前記デジタル部が配置される。
これにより、デジタル部が配置される位置とサイズは、時字のそれと同じとなり、あたかも時字の一つと見なせることとなるためデジタル部を目立たなくすることができ、指針式時計に近いデザインにすることが可能となる。
【発明の効果】
【００１２】
上記のごとく本発明によれば、標準電波の受信中、指針の駆動が停止している間でも、デジタル部の表示内容を切り換えることで、時刻やその他複数の異なった情報を順次表示することができるとともに、デザイン的な制約からデジタル部の表示領域として限られた面積しかなくとも、多くの情報を利用者に知らせることを可能にするものである。
【発明を実施するための最良の形態】
【００１３】
以下に、本発明に係るデジタル表示付き電波修正時計に関する一具体例について、図面を参照しながら説明する。
【実施例１】
【００１４】
図１は、本発明のデジタル表示付き電波修正時計１の外観図である。時針３ａ、分針３ｂ、秒針３ｃからなる３針構成で、ＬＣＤ等によるデジタル部４は、６時の時字位置に配置されている。操作スイッチは３つあり、時計のモードを切り換えるモード切替スイッチ５ａ、修正モードで時刻や日付などの情報の修正を行なう修正スイッチ５ｂ、標準電波の受信を手動で開始する強制受信スイッチ５ｃ、である。ここでは、モード切替スイッチ５ａと強制受信スイッチ５ｃはプッシュ式のスイッチ、修正スイッチ５ｂは正逆回転入力が可能なりゅうずスイッチとする。なお、強制受信スイッチ５ｃは、操作方法の違いや、操作時のモードに応じて、他の機能が働くように構成された、複数の機能の兼用スイッチになっている。例えば、前述の手動による電波受信動作は、操作時間が長い場合（長押し）に開始するようにしておき、通常の操作（短押し）のときはデジタル部４の表示切り換えを行なうように機能する。また、修正モードでは修正桁の選択機能として割り付けられている。
【００１５】
図２は、本発明のデジタル表示付き電波修正時計の機能ブロック線図である。各機能はマイコンによって制御されており、制御部２がこれに相当するものである。指針表示部３は、前記時針３ａ、分針３ｂ、秒針３ｃ、および各指針の駆動回路から成り、前記制御部２の指示により、所定の指針を所定の移動量だけ駆動し、または停止させるものである。デジタル部４は、ＬＣＤ等の表示素子およびその駆動回路からなり、前記制御部２からの指示で、時刻や日付、その他の各種情報をデジタル表示するものである。操作部５は、前記モード切替スイッチ５ａ、修正スイッチ５ｂ、強制受信スイッチ５ｃ、の各スイッチと、それらスイッチの入力検出回路からなり、これらスイッチが操作された場合には、その検出結果を制御部２に出力するものである。計時部６は、内部時刻を計時するもので、水晶振動子などの内部基準信号（本実施例では省略）を分周して計時するカウンタから構成されており、１秒や１分、１時間を単位とした計時信号を作成し、制御部２からの指示により出力するものである。また計時部６は、デジタル部４に表示する情報の更新タイミングを制御するためのタイマ８も備えている。計時結果は、指針によって時計表示が行なわれる一方、受信した標準電波の現在時刻情報に基づき、制御部２からの指示により前記カウンタの計時内容が修正される。受信部７は標準電波を受信して現在時刻情報を取得し、制御部２からの指示に基づき出力して、前記計時部６の内部時刻を修正するものである。また、受信中は受信レベルを監視しており、所定値以上のレベルである場合のみ時刻情報を出力することで、ノイズの影響を避け、誤受信の極めて少ない正確な現在時刻情報の出力を行なえるように構成されている。この受信レベルの値は、前記現在時刻情報と同様に、制御部２からの指示に基づいて出力することができる。なお、前記受信レベルの算出にあたっては、受信した標準電波の電界強度や、現在時刻情報に変換する際の誤変換の割り合いなどが用いられるが、本発明には直接関係しないため説明は省略する。
【００１６】
ここで、デジタル部４の表示内容について説明する。デジタル部４は、時刻や日付のほか、電波の受信状態などを表示するものであるが、デザイン上の制約により、表示面積は必要最低限の大きさしかなく、全ての情報が同時に表示できる大きさではないばかりか、時刻や日付の表示も一度に表示できるのは各情報単位となる。つまり、時、分、秒、月、日、曜日といった情報は個別に表示され、英数字で言えば２桁程度となる。
通常の時刻表示状態では、利用者がスイッチ操作を行なうことによって、デジタル部４の表示が切り替わり、必要な情報を見ることができる。例えば、何もスイッチ操作をしない状態では、デジタル部４はカレンダーになっており、内部計時の日付け情報の“日”を表示しているとする。ここで、所定のスイッチを操作すると、日付けの他の情報である“曜日”に表示が切り替わる。さらにスイッチ操作をすると、時刻表示となり、指針で表示している情報を数字により確認することができる。即ち、内部時刻の“秒”や“分”、“時”の値を、スイッチ操作する度に順次切り換えてデジタル部４に表示する。なお、前記所定のスイッチは、強制受信スイッチ５ｃで兼用することとし、操作方法を異ならせることによって、機能を切り換えて用いる。
【００１７】
時刻や日付の修正の際には、モード切替スイッチ５ａを操作して修正状態とし、強制受信スイッチ５ｃを押す毎に前記時刻や日付の個別の情報が順次表示され、修正スイッチ５ｂの操作により選択されることになる。前記個別の情報として具体的な表示内容としては、次のような例が挙げられる。時は０１から２３までと００、分および秒は０１から５９までと００、月は０１から１２まで、日は０１から３１まで、曜日は略号で表わされ月曜日から順に、ＭＯ、ＴＵ、ＷＥ、ＴＨ、ＦＲ、ＳＡ、となり日曜日はＳＵとなる。西暦は通例として下２桁で表わされ、例えば２００６年は０６となる。この場合、上位２桁として２０の表示を行なうように、表示順序の中に組み入れて、２０の次に０６と表示されるようにしてもよい。受信状態表示は、他の情報表示と混同しないようにし、受信レベル表示として、受信感度の高いものから順に、“Ｈｉ”、“Ｍｄ”、“Ｌｏ”と表わせばよい。なお電波の受信動作中であることを知らせるための記号は、受信を表す慣用記号として広く知られている“Ｒｘ”を用いる。以上例示した表示内容はよく知られたものであり、いずれも英数字２桁以内で表わすことができることから、デジタル表示部４の必要最小限の表示面積としては、英数字２桁分の大きさとすればよい。
【００１８】
次に、本発明の動作を説明する。図３は、本発明のデジタル表示付き電波修正時計の動作として、受信中のデジタル部４の表示切り換えを中心に動作の流れを示したフローチャートである。
電池の投入やリセット処理などにより、ステップＳ１から開始するものとする。一般的には、特に機能を働かせていない通常の状態では、時計は内部時刻を表示しており、ステップＳ２の通常時刻表示状態にある。ここでは、３ａ〜３ｃの各指針により内部時刻の時分秒を表わし、ＬＣＤ等のデジタル部４で年月日曜のいずれかの情報を表示しているものとする。なお、デジタル部４の内容は、ステップＳ２の通常時刻表示状態では、所定のスイッチ操作、例えば強制受信スイッチ５ｃを通常操作（短押し）した場合には、その都度切り換えて表示される（不図示）。ステップＳ３では、モード切替スイッチ５ａが操作されたかどうかを検出しており、ステップＳ４では、時刻修正スイッチ５ｂの操作を、ステップＳ４では、強制受信スイッチ５ｃの操作の有無を各々検出しており、前記５ａ〜５ｃいずれのスイッチ操作も行なわれていない場合には、ステップＳ２に戻って通常時刻の表示を継続する。
ここで、モード切替スイッチ５ａが操作されると、ステップＳ３によりこれを検出し、ステップＳ１０において切り換えられた各モードに応じた動作を行なう。また、時刻修正スイッチ５ｂの操作が検出されると、ステップＳ１１で修正個所に応じて、内部時刻などのデータの修正が行なわれる。前記各モード動作もしくは修正動作が完了すると、再びステップＳ２となって通常時刻の表示状態になる。強制受信スイッチ５ｃが長押し操作された場合、あるいは、内部時刻が所定の計時値となり定時受信時刻になった場合にも、通常時刻表示状態とはならず、標準電波の受信を開始するとともに、デジタル部での各種情報の表示を行なう。
【００１９】
まず、ステップＳ６で、計時部６に設けたタイマ８をスタートする。このタイマはデジタル部の表示を更新するタイミングを計るためのものであり、ここではアップカウント動作とする。次にステップＳ７において受信処理を行なう。ここでは標準電波の受信に関する全ての処理をステップＳ７で行なうものとする。周波数の同調や、受信信号の復調、検波、利得調整（AGC）までのいわゆるフロントエンド部分は主にハードウェアで処理し、信号の同期やデコード、デジタルデータの取得、現在時刻情報の構築などのデジタル信号処理はマイコンによるソフトウェア制御で行なわれることが多く、相互に連携および時系列的な処理が必要となるのだが、本実施例ではこれらを区別・詳述せず、受信処理としてステップＳ７にまとめて行なうものとした。
ステップＳ８では、前記表示更新タイミング用のタイマが所定値となったか否か、つまりタイムアップしたかどうかを検出している。タイムアップしておらず更新時間でない場合には、デジタル部の表示は前回の情報を表示したままで、受信動作がまだ継続していれば再びステップＳ７で受信処理に移る。ステップＳ８で前記表示更新タイミング用のタイマのタイムアップを検出すると、ステップＳ１２でデジタル部の表示が更新され、新たな情報が表示されることになる。この時、ステップＳ１３において、表示更新タイミング用のタイマカウント値をクリアして、次回のデジタル部の表示更新に備える。
つまり、標準電波の受信中には、受信処理を行ないながら、所定の時間が経過したら、デジタル部の表示を更新するように動作するものである。
【実施例２】
【００２０】
次に、本発明の第２の実施例を説明する。図４は、本発明のデジタル表示付き電波修正時計の動作として、受信中のデジタル部４の表示切り換え動作の他の態様を示したフローチャートである。本図中、図３と同じ番号で表わされるものは、実施例１で説明したものと同じである。よって、時計が動作を開始し、受信動作を始めるまでの間、ステップＳ１〜Ｓ４、およびステップＳ１０、Ｓ１１は、前述の通りである。
強制受信スイッチ５ｃが長押し操作されると、ステップＳ５１でこれを検出し受信動作を開始する。本実施例２では、デジタル部の表示を更新するにあたり、表示更新のタイミングを計測するためのタイマの他、表示される情報に関して番号を付与し、情報番号ｎとして管理している。ここでは、情報番号ｎに対応する情報は以下の通りとする。即ち、ｎが“１”の場合には、標準電波の受信中であることの告知、ｎが“２”に対しては、標準電波の受信レベル、ｎが“３”の時は、内部時刻のうちの分情報、のそれぞれの情報が対応付けられているものとする。
【００２１】
まず、ステップＳ１４では、表示更新タイミング用のタイマおよび情報番号ｎを初期化しており、前記タイマはクリアされ、前記情報番号ｎには最初に表示する情報に対応した番号である“１”が設定される。続くステップＳ１５で、最初に表示される情報として、前記情報番号ｎの初期設定値“１”である、標準電波の受信中であることの告知を表わす略号“Ｒｘ”を、デジタル部４に表示する。
その後、ステップＳ７に移り受信処理を開始した後、ステップＳ１６で前記表示更新タイミング用のタイマのタイムアップを検出する。ここでは、タイムアップの時間は２０秒としており、前記タイマのカウンタ値が２０秒経過しデジタル部４の表示更新時間になったことを確認すると、ステップＳ１７へと進む。ステップＳ１７では、次に表示すべき情報番号ｎを導き出しており、例えばインクリメント処理により前記情報番号ｎは“２”に設定される。ステップＳ１８では、前記情報番号ｎの値に応じてデジタル部４の表示処理を振り分けるステップであり、現時点では前記情報番号ｎが“２”であることから、次のステップとしてＳ２０が選ばれて、対応した情報の表示への更新処理を行なう。
【００２２】
前記ステップＳ２０は、標準電波の受信レベルに関する情報をデジタル部４に表示するステップで、その時点での標準電波の受信レベルが、“Ｌｏ”、“Ｍｄ”、“Ｈｉ”などの文字によって表示される。ちなみに、受信レベルが低い（Ｌｏｗ）場合は“Ｌｏ”、高い（Ｈｉｇｈ）場合は“Ｈｉ”、その中間（Ｍｉｄｄｌｅ）のレベルにあるときは“Ｍｄ”に対応付けたものである。前記情報番号ｎに応じた表示を行なった後、続くステップＳ２２、Ｓ２３、およびＳ１３では、次の情報番号や表示更新タイミングの設定を行なって、次回表示に備える。情報番号ｎに対応した表示として、前記ステップＳ２０で行なった受信レベルの表示のほか、前記情報番号ｎが“１”の場合は、標準電波の受信を行なっていることを表わす略号“Ｒｘ”の表示（ステップＳ１９）、前記情報番号ｎが“３”のときには、内部時刻の分情報“００”〜“５９”の表示（ステップＳ２１）が、それぞれ対応するステップで行なわれる。
【００２３】
ステップＳ２２では、情報番号ｎの設定値が範囲内どうかを確認しており、前記情報番号ｎが最大値であると判定した場合には、ステップＳ２３に進んで情報番号ｎをクリアするようにしている。本実施例では“３”が最大値であるため、前記情報番号ｎが“３”である場合に、ゼロクリアされることになる。つまり、デジタル部４に内部時刻の分情報が表示された後は、次回更新の際、再び受信中であることを表わす略号“Ｒｘ”から表示されることになる。ステップＳ１３では、表示の更新タイミング用のタイマをクリアして、次回表示更新までの時間計測を開始する。また、デジタル部４の表示が更新される毎に、ステップＳ９において、受信処理の完了有無を確認しており、まだ完了していなければステップＳ７の受信処理から繰り返し、受信処理が完了して現在時刻情報が取得でき内部時刻を修正した後であれば、ステップＳ２に戻って、修正された内部時刻の表示が行なわれる。
【実施例３】
【００２４】
次に、本発明の第３の実施例を説明する。図５は、本発明のデジタル表示付き電波修正時計の動作として、受信中のデジタル部４の表示切り換え動作の他の態様を示したフローチャートである。受信動作の開始条件として、前述の実施例２では、ステップＳ５１において、強制受信スイッチ５ｃの長押し操作を条件としたが、本実施例３では、計時部６のカウント値が所定の値となったことを条件に受信を開始するもので、定時受信の場合であり、ステップＳ５２でこの判定を行なっている。本図中、図３および図４と同じ番号で表わされるものは、実施例１および２で説明したものと同じである。
【００２５】
定時受信の時刻になると、ステップＳ５２でこれを検出し、続くステップＳ７で受信処理が開始される。ステップＳ３１は、デジタル部４の表示を更新する時刻を検出しており、計時部６でカウントされている内部時刻が、所定の更新時刻に達したかどうかを判定している。ここでは、前記更新時刻として、２０秒、４０秒、および００秒（正分）となっており、内部時刻の秒が、これらいずれかの時刻に達したか判断する。また、デジタル部４に表示する情報は、更新時刻毎に対応付けられており、００秒では受信中であることの表示を行ない、２０秒では受信レベル、４０秒では内部時刻の分情報の表示を、各々行なうことになる。ステップＳ３２は、前記更新時刻の各秒に応じて、対応した情報の表示を行なうステップへの振り分けを行なうもので、ステップＳ１９、Ｓ２０、Ｓ２１では、前記ステップＳ３２からの指示により各情報の表示を行なう。
【００２６】
なお、前記定時受信による受信動作開始時刻として、一般的には午前２時もしくは午前４時などが設定され、それら時刻の正分から受信動作を開始するようになっている。そのため、００秒で受信動作が開始され、デジタル部４の表示は直ちに受信中を表わす略号“Ｒｘ”を表示する。その後は毎分３回、前記更新時刻においてデジタル部４の表示更新が行なわれ、２０秒から３９秒は受信レベル、４０秒から５９秒は内部時刻の分情報、００秒から１９秒は“Ｒｘ”が表示されていることになる。
本実施例３では、実施例２で説明した表示の更新タイミング用のタイマ、および情報番号ｎは用いる必要がないため、これらパラメータの管理、設定等は不要となり、比較的シンプルな構成で実現できる。
【００２７】
ここで、上記実施例２および３の構成に対して、作用を説明する。
計時部６の内部時刻が、受信動作を開始する所定の時刻になった場合（定時受信機能）、標準電波を受信して時刻情報を取得し計時部の時刻を修正することになる。このとき、受信動作を行なう前に、指針の駆動が停止される。同時に、受信動作中であることを利用者に知らせるために、デジタル部４に受信中を表わす略号“Ｒｘ”の文字を表示する。定時受信は正分から受信動作を開始するため、２０秒に達すると、デジタル部４には“Ｒｘ”の文字に替わって、その時点での受信レベルが、“Ｌｏ”、“Ｍｄ”、もしくは“Ｈｉ”の文字によって表示される。この表示状態が４０秒まで続いた後、次に内部時刻の分を
表わす数字に切り替わる。その後、正分（００秒）になると、再び受信中を表わす“Ｒｘ”の文字表示になる。このように、２０秒、４０秒、および００秒で表示内容が切り替わり、１分周期でこれを繰り返し、複数の情報を順次周期的に表示する。
定時受信の場合は、上記のように００秒から開始されるが、利用者によるスイッチ操作によって受信動作が開始された場合（強制受信機能）、そこからの所定の経過時間に応じて、各情報の表示が順次行なわれることになる。
いずれの場合も、１分程度で情報の表示が一巡して、必要な情報を取得することができる。日常生活では、１分の時間経過は我慢する許容範囲であると考えられるが、本発明はこれに限定されるものではなく、５秒ごとに表示を切り換えることにより、短時間で全ての情報を表示するようにしてもよい。
【００２８】
これまでの説明では、デジタル部４に表示する情報として、３種類ある場合の例を示したが、本発明はこれに限定されるものではなく、情報の内容および種類とも製品仕様に応じて適宜設定することができる。例えば、受信動作中は指針駆動を停止していることは上述の通りだが、逆に言えば、この状態は受信中であることの告知にもなっていると考えられる。この場合、“Ｒｘ”の文字をあえてデジタル部に表示して受信中である旨知らせることは無駄であるとも考えられるので、デジタル部の表示は受信レベルと時刻の分の２種類でよく、この２つを交互に切り換えて表示するようにしてもよい。
その他、デジタル部に表示する意味のありそうな情報としては、時刻の時や年号、曜日など、いくつも考えられるが、３種類より多くなった場合であっても、本発明の構成によって実現可能な範疇である。
【実施例４】
【００２９】
次に、本発明の第４の実施例を説明する。図６は、本発明のデジタル表示付き電波修正時計の、デジタル部４の文字盤上の配置、サイズ、表示例を表わしたものである。図６（ａ）は、文字盤１００に対して、１〜１２の数字からなる時字１０２の配置を表わしている。前記時字１０２は、図に示したように、一般的には文字盤の周辺部に各々均等に配置されることが多い。時字１０２を囲うように長方形の点線１０１で示したものは、図１のデジタル部４を配置する領域を示している。デジタル部４は、いずれか１つの時字１０２の場所に、その時字と置き換えて配置されるが、ここでは、１２時、３時、および６時の位置に配置された場合を示している。
【００３０】
図６（ｂ）は、（ａ）で示した、文字盤上に配置されるデジタル部４の具体的な大きさを表わしたものである。前記デジタル部４の外形は、前記時字１０２を囲うような長方形１０３であり、具体的には、時字１０２を表わす文字を囲うことが可能な長方形の面積と同じか、または若干小さい形状となっている。
標準電波の受信中の、デジタル部４の表示内容の一部を、図６（ｃ）に例示してある。受信中であることを表わす略号“Ｒｘ”、受信レベルの情報として“Ｌｏ”、同“Ｍｄ”、同“Ｈｉ”、内部時刻の分情報として８分であることを表わす“０８”、を一例として表わしてある。
【００３１】
このように、デジタル部４を時字のいずれかと代替させて配置し、かつ時字とほぼ同じ大きさとすることにより、デジタル部４の存在を目立たなくして、デザインを指針式の時計に近づけることができる。また、時字を数字で表わしている場合、１０、１１、および１２のように最大２桁であることから、デジタル表示部の表示領域も、２桁程度の文字を表示可能な面積であればよい。
以上のように、デジタル表示部の表示領域も有しているにもかかわらず、バランスよく配置することでその存在を目立たなくして違和感をなくすことにより、通常の指針表示のみの時計のデザインに近づけることができた。このデザイン上の制約のために、デジタル部の表示面積が数字２桁程度しかないにもかかわらず、必要な情報を全て表示できるため
、利用者にとって使いやすい時計を実現できる。
【図面の簡単な説明】
【００３２】
【図１】本発明のデジタル表示付き電波修正時計の外観図である。
【図２】本発明のデジタル表示付き電波修正時計の機能ブロック線図である。
【図３】本発明の一実施の形態を示すデジタル表示付き波修正時計の動作を表わすフローチャートである。
【図４】本発明の第２の実施例を示すデジタル表示付き電波修正時計の動作を表わすフローチャートである。
【図５】本発明の第３の実施例を示すデジタル表示付き電波修正時計の動作を表わすフローチャートである。
【図６】本発明の第４の実施例を示すデジタル表示付き電波修正時計の、文字盤におけるデジタル部の配置と大きさ、表示例を表わす図である。
【符号の説明】
【００３３】
１      デジタル表示付き電波修正時計
２      制御部
３      指針表示部
３ａ    時針
３ｂ    分針
３ｃ    秒針
４      デジタル部
５      操作部
５ａ    モード切替スイッチ
５ｂ    修正スイッチ
５ｃ    強制受信スイッチ
６      計時部
７      受信部
８      タイマ
１００  文字盤
１０１  デジタル部配置領域
１０２  時字
１０３  デジタル部外形形状
【図１】
2008145388.tif 000003
【図２】
2008145388.tif 000004
【図３】
2008145388.tif 000005
【図４】
2008145388.tif 000006
【図５】
2008145388.tif 000007
【図６】
2008145388.tif 000008